(57)【要約】【課題】  表題等の表示窓に対して位置づれすることなくしたり、記載部分が表示窓から浮き上がったりすることなく、表題等を表示窓を通して確実に視認することができること。【解決手段】  表紙２１と背表紙２３とに設けられ表題等Ｔを視認することができる表示窓４１、４３と、この表示窓４１、４３に相応して表題等Ｔを記載することができる記載位置表示用枠５２Ｆ付きの表題等記載用紙５０と、この表題等記載用紙５０を表題等Ｔが表示窓４１、４３に相応するようにホルダー本体２０の内面に抑え付けて保持する抑え片２１Ｐとから成っている。表題等記載用紙５０は、ファイル本体２０のペーパーファスナー３２に綴じ込まれて位置決めされ、また抑え片６１Ｐでファイル本体２０の内面から浮き上がるのを防止する。【選択図】図１
2009208357.tif 000002
【特許請求の範囲】
【請求項１】
表紙と裏表紙と背表紙とを含むホルダー本体と前記ホルダー本体に紙ファイルを綴じ込むことができるファイル綴じ込み手段とを備えたファイルホルダーにおいて、前記表紙と背表紙との少なくとも一方に設けられ外部から表題等を視認することができる表示窓と、前記表示窓に相応して前記表題等を記載することができる記載位置表示付きの表題等記載用紙と、前記表題等記載用紙を前記表題等が前記表示窓に相応するように前記ホルダー本体の内面に抑え付けて保持する表題等記載用紙抑え手段とを更に備えていることを特徴とする表題等表示構造付きファイルホルダー。
【請求項２】
請求項１に記載の表題等表示構造付きファイルホルダーであって、前記表題等記載用紙抑え手段は、前記標題等記載用紙を前記ホルダー本体の表紙と背表紙との両方の裏面に抑え付けるようにすることを特徴とする表題等表示構造付きファイルホルダー。
【請求項３】
請求項１又は２に記載の表題等表示構造付きファイルホルダーであって、前記表題等記載用紙抑え手段は、前記表紙の裏面に設けられた抑え部材を含み、前記抑え部材は、前記表紙又は背表紙あるいは前記表紙と背表紙とに跨って前記表題等記載用紙を抑え付けるように配置されており、前記表題等記載用紙は、前記綴じ込み手段で前記紙ファイルと共に綴じ込まれることを特徴とする表題等表示構造付きファイルホルダー。
【請求項４】
請求項３に記載の表題等表示構造付きファイルホルダーであって、前記抑え部材は、前記表紙の裏面の自由端付近に固定され前表紙と背表紙とに跨って延びる抑え片から成っていることを特徴とする表題等表示構造付きファイルホルダー。
【請求項５】
請求項３に記載の表題等表示構造付きファイルホルダーであって、前記抑え部材は、前記表紙の裏面の少なくとも上下端付近に固定された抑え片又は抑えシートから成っていることを特徴とする表題等表示構造付きファイルホルダー。
【発明の詳細な説明】
【技術分野】
【０００１】
本発明は、紙ファイルを綴じ込むファイルホルダーに関し、特に、ファイルホルダーの表紙及び／又は背表紙に、「ファイルの分類名称又はその記号」、「表題(ファイル名)」、「ファイルの作成者名」や「ファイルの作成年月日」の如き表示（以下表題等と称する）を視認することができるファイルホルダーに関するものである。
【背景技術】
【０００２】
一般のファイルホルダーは、表紙と裏表紙と背表紙とを含むホルダー本体とこのホルダー本体の裏表紙に設けられたペーパーファスナーの如き綴じ込み手段とから成っており、複数の紙ファイルは、ペーパーファスナーに綴じてホルダー内に収納されている。
【０００３】
この種のファイルホルダーは、通常、表裏背のいずれの面も不透明であり、使用者は、表紙又は背表紙に表題等を手書きで直接記載するか、接着剤付きのラベルに手書き又はパソコン入力文字の印刷で表題等を記載してこのラベルをファイルホルダーに貼り付けて表題等を表示していた。
【０００４】
しかし、ファイルホルダーの背表紙に手書きで表題等を書き込むことは、特に、背表紙の幅が小さい場合には、困難であり、また、いずれの位置に表題等を表示するにしても、異なる内容の紙ファイルを綴じ換えてファイルホルダーを転用する場合には、先に記載した表題等を消去しなくてはならないので、取扱が面倒である上に表題等をきれいに施すことができなかった。
【０００５】
一方、表紙に窓穴又は透明窓を有する窓付きファイルホルダーが実用化されているが、この構造のファイルホルダーは、このホルダーに綴じ込まれた紙ファイルに表示された「表題」等がその窓を通して視認することができるようにしているだけであり、第１頁目の書類（紙ファイル）に窓に相応して表題等を表示する必要があり、この表題等の表示位置によっては表題等が窓からずれることがある。また、この構造のファイルホルダーは、背表紙に表題を表示させることができないため、ファイルホルダーが棚や引き出し等に収納されると、表題等を視認することができない欠点があり、更に、表題等は、ペーパーファスナーの最も上に配置しなければならないので、紙ファイルを綴じ増しする場合には、その都度、表題等を表示した用紙をペーパーファスナーから外し、綴じ増しした紙ファイルの上に表紙等を記載した用紙を綴じ込まなければならないので、取り扱いが面倒であった。
【発明の開示】
【発明が解決しようとする課題】
【０００６】
本発明が解決しようとする１つの課題は、表題等を表示窓を通して表示するが、表題等の表示が位置づれすることなく確実に表示窓を通して視認することができる表題等表示構造付きファイルホルダーを提供することにある。
【０００７】
また、本発明が解決しようとする他の課題は、表紙のみでなく背表紙にも同時に表示して表題等を確実に視認することができる表題等表示構造付きファイルホルダーを提供することにある。
【０００８】
本発明が解決しようとする更に他の課題は、紙ファイルを追加的に綴じる際に、表題等を記載した用紙を綴じ外すことなく、紙ファイルを綴じ増しすることができる表題等表示構造付きファイルホルダーを提供することにある。
【課題を解決するための手段】
【０００９】
本発明の課題解決手段は、表紙と裏表紙と背表紙とを含むホルダー本体とこのホルダー本体に紙ファイルを綴じ込むことができるファイル綴じ込み手段とを備えたファイルホルダーにおいて、表紙と背表紙との少なくとも一方に設けられ外部から表題等を視認することができる表示窓と、この表示窓に相応して表題等を記載することができる記載位置表示付きの表題等記載用紙と、この表題等記載用紙を表題等が表示窓に相応するようにホルダー本体の内面に抑え付けて保持する表題等記載用紙抑え手段とを更に備えていることを特徴とする表題等表示構造付きファイルホルダーを提供することにある。
【００１０】
本発明の課題解決手段において、表示窓は、表紙と背表紙との両方に設けられるのが好ましく、また、表題等記載用紙抑え手段は、ホルダー本体の表紙と背表紙との裏面とに位置決めして保持するようにするのが好ましい。
【００１１】
また、本発明の課題解決手段において、表題等記載用紙抑え手段は、ホルダー本体の内面に設けられた抑え部材を含み、この抑え部材は表紙又は背表紙あるいは表紙と背表紙とに跨って表題等記載用紙を抑え付けるように配置されており、表題等記載用紙は、綴じ込み手段で紙ファイルと共に綴じ込まれる形態とすることができる。
【００１２】
この場合、抑え部材は、表紙の裏面の自由端付近に固定され表紙と背表紙とに跨って延びる抑え片から成っていてもよいし、表紙の裏面の少なくとも上下端付近に固定された抑え片又は抑えシートとから成っていてもよい。
【発明の効果】
【００１３】
本発明によれば、表題等を記載する位置を表示した専用の表題等記載用紙をファイルホルダー内に位置決めして保持するので、ファイルホルダーの表示窓に合わせて正確に表題等を表示することができ、また、表紙と背表紙とに表題等を同時に表示することができるので、取り扱いが容易である。
【００１４】
特に、表題等記載用紙抑え手段が表題等記載用紙を表紙及び／又は背表紙に抑え付ける抑え部材から成っていると、表題等記載用紙がファイルホルダーの表示窓から浮くことがないので、表題等の視認を一層容易に行うことができる。
【００１５】
また、表題等記載用紙は、表紙と背表紙との内面に沿って配置して更に綴じ込み手段に綴じ込むと、表示窓に対して表題等を適正に位置決めすることができるが、この場合、表題等記載用紙は、裏表紙に接触するように綴じ込み手段の最下位に位置するので、紙ファイルを追加的に綴じ込む際に、表題等記載用紙を綴じ外す必要がないので、取り扱いが容易である。
【発明を実施するための最良の形態】
【００１６】
次に、本発明の好ましい幾つかの実施の形態を図面を参照して詳細に説明すると、図１は、本発明の１つの実施の形態による表題等表示構造付きファイルホルダー１０を示し、このファイルホルダー１０は、通常のように、表紙２１と裏表紙２２と背表紙２３とを含むホルダー本体２０と、このホルダー本体２０に紙ファイルＰＦを綴じ込むことができるファイル綴じ込み手段３０とを備えている。
【００１７】
表紙２１と裏表紙２２と背表紙２３とは、一体に連設して形成され、また、ファイル綴じ込み手段３０は、収納すべき多数の紙ファイルＰＦを綴じ込むことができる適宜の形態とすることができる。図１の形態では、ファイル綴じ込み手段３０は、裏表紙２２に取り付けられた１対の可撓性綴じ条に紙ファイルＰＦの綴じ孔を貫通して紙ファイルＰＦを裏表紙２２上に保持し、これらの１対の綴じ条が貫通する１対の孔を有する抑え帯を紙ファイルの上に抑え付け、１対の可撓性綴じ条を折り曲げつつ抑え帯に固定するようにした通常のペーパーファスナー３２から成っているのが示されている。
【００１８】
本発明の表題等表示構造付きファイルホルダー１０は、図１に示すように、ホルダー本体２０の表紙２１と背表紙２３との両方にそれぞれ設けられ外部から表題等Ｔを視認することができる複数の表示窓４１、４３と、これらの表示窓４１、４３に相応して表題等Ｔを記載することができる記載位置表示５２(図示の例では枠５２Ｆ)付きの表題等記載用紙５０と、この表題等記載用紙５０を枠５２Ｆが表示窓４１、４３に相応するように表紙２１と背表紙２３との内面に抑え付けて保持する表題等記載用紙抑え手段６０とから成っている。
【００１９】
図１及び図２の形態では、表紙２１は、４つの表示窓４１を有し、背表紙２３は、３つの表示窓４３を有し、それに相応して、表題等記載用紙５０は、図５に示すように、表紙２１に相応する用紙部分５１に４つの枠５２Ｆ１を有し、背表紙２３に相応する用紙部分５３に３つの枠５２Ｆ３を有する。表題等Ｔは、表紙２１に相応する４つの枠５２Ｆ１内に記載されたファイル種類（例えば、「特許関係書類」）、ファイル名の如き表題（例えば「ファイルホルダー」）、作成年月日（例えば、「作成日２００７年１２月」）、作成者名（例えば「横山純明」）等とし（図６参照）、また背表紙２３に相応する枠５２Ｆ３に記載されたファイル種類（例えば、「特許関係書類」）、ファイル名の如き表題（例えば「ファイルホルダー」）、作成年月日（例えば、「作成日２００７年１２月」）等とすることができる。
【００２０】
表題等記載用紙抑え手段６０は、ホルダー本体２０の表紙２１の内面に取り付けられた抑え部材６１を含み、この抑え部材６１は、表紙２１と背表紙２３とに跨って表題等記載用紙５０を抑え付けるように配置されており、表題等記載用紙５０は、ファイル綴じ込み手段３０で紙ファイルＰＦと共に綴じ込まれるように１対の綴じ孔５４Ｈを有する。
【００２１】
図１乃至図３の形態では、抑え部材６１は、表紙２１の裏面の自由端２１Ｅ付近に固定され表紙２１と背表紙２３と綴じ込み手段３０とに跨って延びる１つ又は複数(図示の例では２つ)の薄いプラスティックシート製の抑え片６１Ｐから成っている。図示の例では、これらの抑え片６１Ｐの固定端は、図３に詳細に示すように、表紙２１に幅方向に相対して設けられた２つの切り割り２１Ｓ１、２１Ｓ２を順次潜り抜けて固定されており、この固定端の端縁は、切り割り２１Ｓ２から抜け出さないように若干幅広の頭部６１ＰＨを有する。抑え片６１Ｐの自由端は、綴じ込み手段３０のペーパーファスナー３２の１対の差し込み条が貫通する１対の綴じ込み孔６１ＰＳを有する（図２（Ｂ）参照）。
【００２２】
次に、本発明のファイルホルダー１０の使用状態を図１乃至図４を参照して述べると、まず、図５及び図６に示すように、表題等記載用紙５０の記載表示位置５２（枠５２Ｆ）に所定の表題等Ｔを記載する。この表題等記載用紙５０の様式は、パソコン等にダウンロードすることができる電子データソースファイル（オブジェクトファイル）の形態のテンプレートとして提供すると、表題等Ｔの書き込みは、パソコンを使用して容易に行うことができる。
【００２３】
その後、この表題等記載用紙５０をその表面がホルダー本体２０の表紙２１の裏面に接触するようにしてその綴じ孔５２Ｈに綴じ込み手段３０に綴じ込む。このように、表題等記載用紙５０を綴じ込み手段３０に綴じ込むと、記載表示位置５２に書き込まれた表題等Ｔが表紙２１の表示窓４１及び背表紙２３の表示窓４３に表題等Ｔが現れるように正確に位置決めされる。
【００２４】
最後に、表題等記載用紙抑え手段６０の抑え片６１Ｐを表題等記載用紙５０の裏側に当てがい、その自由端の綴じ孔６１ＰSにファイル綴じ込み手段３０であるペーパーファスナー３２の１対の綴じ込み条を差し込んで抑え片６１Ｐを付ホルダー本体２０の裏面に固定する。このようにすると、表題等記載用紙５０は、この抑え片６１Ｐによってホルダー本体２０の表紙２１及び背表紙２３の内面に押し付けられて浮き上がるのが防止される。
【００２５】
このファイルホルダー１０に収納されるべき紙ファイル(書類)ＰＦは、表題等記載用紙５０を綴じ外すことなく、その上に、順次綴じ込むことができる。
【００２６】
このようにして、紙ファイルＰＦが綴じ込まれたファイルホルダー１０は、その表紙からファイルの表題等Ｔを視認することができ、また書棚等に背表紙２３が正面となるようにファイルホルダー１０をキャビネットに格納すると、背表紙２３からファイルの表題等Ｔを視認することができる。
【００２７】
本発明に使用される表題等記載用紙抑え手段６０の他の形態が図７に示され、この形態では、抑え部材６１である１つ（又は複数）の抑え片６１Ｐが表紙２１の裏面の垂直方向に延びるように配置され、その両端は、図３に示すのと同様の手段で表紙２１に横方向に設けられた上下各２つの切り割りによって固定される。表題等記載用紙５０は、ファイル綴じ込み手段３０とこの抑え片６１Ｐとによって表紙２１及び背表紙２３の内面に抑え付けられる。
【００２８】
本発明に使用される表題等記載用紙抑え手段６０の更に他の形態が図８に示され、この形態では、抑え部材６１は、表紙２１の面積にほぼ相応する面積を有する薄い透明プラスティックシート製の保持袋６１Ｂから成っており、この保持袋６１Ｂは、表紙２１の上下縁及び自由縁との間に形成された差し込み溝形成部６２に差し込んで表紙２１に保持されている。図示していないが、表題等記載用紙５０は、この保持袋６１Ｂから延びて露出する部分を綴じ込み手段３０に綴じ込まれる。
【００２９】
なお、上記の実施の形態では、ホルダー本体２０の表紙２１と背表紙２３との両方に表示窓４１、４３を設けて表題等記載用紙５０に相応する表題等Ｔを記載するようにしたが、表紙２１又は背表紙２３のいずれかに表示窓４１又は４３を設けて表題等記載用紙５０に表示窓４１又は４３に相応する表題等Ｔを記載するようにしてもよい。この場合、図５の表題等記載用紙５０の記載位置表示用の枠５２Ｆ３又は５２Ｆ1は不要となる。
【００３０】
本発明の更に他の実施の形態が図９に示されており、この形態では、表題等Ｔが背表紙２３のみに表示されるようにしている。表題等記載用紙５０は、図１０に示すように、裏表紙２２の全部又は一部と背表紙２３との内面に接触するような面積を有し（図９の仮想線参照）、背表紙２３に相応する用紙部分５３の表面に表題等Ｔを記載するようにしているが、ファイル綴じ込み手段３０に綴じ込むべき綴じ込み孔５４Ｈの他に、裏表紙２２と背表紙２３との境界の折り曲げ部分に１対の掛け止め孔５６Ｈを有する。
【００３１】
図９の形態では、表題等記載用紙抑え手段６０は、ペーパーファスナー３２の表紙側の端縁から延びる１対の弾性抑え爪６３から成っており（図９（Ｂ）参照）、これらの抑え爪６３は、図９（Ｃ）に示すように、表題等記載用紙５０の１対の掛け止め孔５６Ｈを貫通して背表紙２３に相応する用紙部分５３を背表紙２３に弾性的に抑え付けている。従って、表題等記載用紙５０の背表紙相応用紙部分５３は、背表紙２３に押し付けられて背表紙２３から浮き上ることはない。
【００３２】
図示の実施の形態では、ファイル綴じ込み手段３０は、１対の綴じ条(又は帯)とその抑え帯とから成る一般に使用されている通常のペーパーファスナー３２であったが、多数の割りリングを有する多穴式ペーパーファスナーであってもよいし、また、ホルダー本体に固定された下支え部材の一端から延びる１つの綴じ条とこの綴じ条の自由端を下支え部材の他端から延びラチェット（掛け止め）式に差し込んで掛け止める掛け止め具とから成るペーパーファスナー（本発明者が別途提案するペーパーファスナー）であってもよく、その他任意の形態とすることができる。
【００３３】
また、図示の形態では、表示窓４１、４３は、予め、開けられている孔であったが、ミシン目または半抜き状態として、必要に応じて開けられる窓とすることもできる。
【００３４】
更に、図示の形態では、抑え片６１Ｐは、切り割り２１Ｓ１、２１Ｓ２等を潜らせて固定するようにしているが、接着その他任意の手段で表紙２１に固定することができる。
【００３５】
なお、表題等記載用紙５０の綴じ孔５４Ｈ、掛け止め孔５６Ｈは、電子データファイルの形態のテンプレートを用いて入力し印刷された用紙に通常の穿孔器を用いて穿孔することによって形成することができるが、予め枠５２や綴じ孔５４Ｈ、５６Ｈが形成されている専用の用紙としてもよいことはもちろんである。
【００３６】
上記の実施の形態から解るように、本発明によるファイルホルダー１０は、表題等Ｔを記載する位置を表示した専用の表題等記載用紙５０をファイルホルダー１０に綴じ込んで保持するので、ファイルホルダー１０の表示窓４１、４３に正確に位置決めして表題等Ｔを表示することができ、また、表紙２１と背表紙２３とに表題等Ｔを同時に表示することができるので、取り扱いが容易である。
【００３７】
表題等記載用紙抑え手段６０は、表題等記載用紙５０を表紙２１や背表紙２３に抑え付けるので、表題等記載用紙５０がファイルホルダー１０の表示窓４１、４３から浮くことがなく、表題等Ｔを表示窓４１、４３から確実に視認することができる。
【００３８】
また、表題等記載用紙５０は、紙ファイルＰＦの上に重合するのではなく、紙ファイルＰＦの下側に綴じ込むので、紙ファイルＰＦの綴じ増しがあっても、表題等記載用紙５０をその都度綴じ外す必要がなく、取り扱いが容易である。
【００３９】
本発明に用いられる表題等記載用紙抑え手段６０の更に幾つかの変形例が図１１及び図１２に示されている。
【００４０】
図１１の表題等記載用紙抑え手段６０は、表紙２１の任意の位置、図示の例では、上下の位置の内側に凹み、且つ開口が上下に相対するように形成された２つの切起し抑え片６４Ｕ、６４Ｄから成り、表題等記載用紙５０は、ペーパーホルダー３２で位置決めされながらこれらの切起し抑え片６４Ｕ、６４Ｄの上側に差し込まれてこれらの切起し抑え片６４Ｕ、６４Ｄによって表示窓４１から浮き上がらないよう抑え付けている。これらの切起し抑え片６４Ｕ、６４Ｄが上下に相対して形成されていると、表題等記載用紙５０は、上下方向に整列するように位置決めされるので好ましいが、この切起し抑え片は、背表紙側に向けて開口するように横向きに形成してもよく、また、この場合、切起し抑え片の数は、幅広として１つにしてもよい。なお、図１１において、符号６４Ｈは、切起し抑え片６４Ｕ、６４Ｄを抜き出して形成された孔である。
【００４１】
図１２の表題等記載用紙抑え手段６０は、表示窓、図示の例では、背表紙２３の表示窓４３の一辺を残して切り抜いて形成するが、この一辺から連続する切抜き部分を内側に起こして形成された１つ又は複数の切起し抑え片６５から成っている。表題等記載用紙５０は、ペーパーホルダー３２で位置決めされながらこれらの切起し抑え片６５の上側に差し込まれてこれらの切起し抑え片６５によって表示窓４３から浮き上がらないよう抑え付けている。なお、表紙２１の表示窓４１にも同様にして切起し抑え片を形成することができるが、背表紙２３に表示窓４３がある場合には、この表示窓４３からの浮き上がり防止するために、図１１に示されたような切起し抑え片６５Ｕ、６５Ｄを併用するのが好ましい。
【００４２】
上記実施の形態では、ファイル綴じ込み手段３０は、穴開け式の通常のペーパーファスナー３２であるのが示されているが、穴開き式ペーパーファスナーに限らず、表紙２の内面にあって裏表紙側に延びる部分を挟み込むことができるものであれば、挟み込み式の所謂プレスファイルにも本発明を適用することができる。
【産業上の利用可能性】
【００４３】
本発明によれば、表題等をファイルホルダーの表示窓に合わせて正確に表題等を表示することができ、表紙と背表紙とに表題等を同時に表示することができ、また、表題等記載用紙は、表紙や背表紙に抑え付けられるので、表題等記載用紙がファイルホルダーの表示窓から浮くことがなく、表題等の視認を確実に行うことができ、高い産業上の利用性を有する。
【図面の簡単な説明】
【００４４】
【図１】本発明の１つの実施の形態によるファイルホルダーの使用状態の内面を展開して示す正面図である。
【図２】図１のファイルホルダーに表題等記載用紙及び紙ファイルを綴じ込む前の状態を示し、同図（Ａ）は、その内面を展開して示す正面図、同図（Ｂ）は、同図（Ａ）のＢ−Ｂ線拡大断面図である。
【図３】図２（Ｂ）の左端部分を一層拡大して示し、同図（Ａ）は、その正面図、同図（Ｂ）は、同図（Ａ）のＢ−Ｂ線断面図である。
【図４】ホルダー本体に対する表題等記載用紙と紙ファイル(書類)の位置関係を示し、同図（Ａ）は、表題等記載用紙のホルダー本体に対する位置関係を示す正面図、同図（Ｂ）は、紙ファイルのホルダー本体に対する位置関係を示す正面図である。
【図５】図１乃至図４のファイルホルダーに用いられる表題等機ｚ祭用紙の拡大正面図である。
【図６】図１のファイルホルダーの非展開状態の正面図である。
【図７】異なる形態の表題等記載用紙抑え手段を有するファイルホルダーの非使用状態の内面を展開して示す正面図である。
【図８】更に異なる形態の表題等記載用紙抑え手段を有するファイルホルダーの非使用状態の内面を展開して示す正面図である。
【図９】本発明の異なる形態のファイルホルダーを示し、同図（Ａ）は、その非使用状態の内面を展開して示す正面図、同図（Ｂ）は、このファイルホルダーに用いられるペーパーファスナーの拡大正面図、同図（Ｃ）は、背表紙と表題等記載用紙とペーパーファスナーとの関係を一層拡大して示す拡大断面図である。
【図１０】図９のファイルホルダーに用いられる表題等記載用紙を示し、同図（Ａ）（Ａ'）は、その展開状態の平面図及び断面図、同図（Ｂ）(Ｂ')は、背表紙対応部分を手前に重ね折りじた状態の平面図及び断面図、同図（Ｃ）(Ｃ')は、背表紙対応部分を他の部分に対して直角に折り曲げた状態(ホルダー本体に取り付けられる状態に相応する状態)の平面図及び断面図である。
【図１１】切起し抑え片から成る１つの形態の表題等記載用紙抑え手段を有するファイルホルダーを示し、同図（Ａ）は、その一部の裏面展開図、同図（Ｂ）は、その要部の拡大図、同図（Ｃ）その要部の正面から見た拡大図、同図（Ｄ）は、同図（Ｃ）のＤ−Ｄ線断面図である。
【図１２】切起し抑え片から成る他の形態の表題等記載用紙抑え手段を有するファイルホルダーを示し、同図（Ａ）は、その一部の裏面展開図、同図（Ｂ）は、その要部の拡大図、同図（Ｃ）その要部の正面から見た拡大図、同図（Ｄ）は、同図（Ｃ）のＤ−Ｄ線断面図である。
【符号の説明】
【００４５】
１０      ファイルホルダー
２０      ホルダー本体
２１      表紙
２１Ｅ    自由端
２１Ｓ１、２１Ｓ２  切り割り
２２      裏表紙
２３      背表紙
３０      ファイル綴じ込み手段
３２      ペーパーファスナー
４１、４３  表示窓
５０      表題等記載用紙
５１      表紙に相応する用紙部分
５２      記載位置表示
５２Ｆ、５２Ｆ１、５２Ｆ３  枠
５３      背表紙に相応する用紙部分
５４Ｈ    １対の綴じ孔
５６Ｈ    １対の掛け止め孔
６０      表題等記載用紙抑え手段
６１      抑え部材
６１Ｐ    抑え片
６１ＰＨ  頭部
６１ＰＳ  １対の綴じ込み孔
６１Ｂ    保持袋
６２      差し込み溝部
６３      弾性抑え爪
６４Ｕ、６４Ｄ、６５  切起し抑え片
６４Ｈ    切起し抑え片６４Ｕ、６４Ｄを抜き出して形成された孔
ＰＦ      紙ファイル
Ｔ        表題等
【図１】
2009208357.tif 000003
【図２】
2009208357.tif 000004
【図３】
2009208357.tif 000005
【図４】
2009208357.tif 000006
【図５】
2009208357.tif 000007
【図６】
2009208357.tif 000008
【図７】
2009208357.tif 000009
【図８】
2009208357.tif 000010
【図９】
2009208357.tif 000011
【図１０】
2009208357.tif 000012
【図１１】
2009208357.tif 000013
【図１２】
2009208357.tif 000014
【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
表紙と裏表紙と背表紙とを含むホルダー本体と前記ホルダー本体に紙ファイルを綴じ込むことができるファイル綴じ込み手段とを備えたファイルホルダーにおいて、前記表紙と背表紙との両方にそれぞれ別々に独立して設けられ外部から表題等を視認することができる表紙と背表紙との別個の表示窓と、前記別個の表示窓のすべてに相応して前記表題等を記載することができる記載位置表示付きの１枚の表題等記載用紙と、前記表題等記載用紙を前記表題等が前記表示窓に相応するように前記ホルダー本体の内面に抑え付けて保持する表題等記載用紙抑え手段とを更に備え、前記表題等記載用紙は、前記表紙に相応する用紙部分と背表紙に相応する用紙部分と裏表紙のファイル綴じ込み手段を有する部分に相応する用紙部分とを有して前記裏表紙のファイル綴じ込み手段を有する部分に相応する用紙部分に前記ファイル綴じ込み手段で綴じ込まれる綴じ孔を含み、前記表題等記載用紙抑え手段は、前記ファイル綴じ込み手段と協働して前記表題等記載用紙を前記表紙と背表紙との内面に抑え付けるものであることを特徴とする表題等表示構造付きファイルホルダー。
【請求項２】
請求項１に記載の表題等表示構造付きファイルホルダーであって、前記表題等記載用紙抑え手段は、前記ホルダー本体の内面に設けられた抑え部材を含み、前記抑え部材は、前記表紙と背表紙とに跨って前記表題等記載用紙を抑え付けるように配置されていることを特徴とする表題等表示構造付きファイルホルダー。
【請求項３】
請求項２に記載の表題等表示構造付きファイルホルダーであって、前記抑え部材は、前記表紙の裏面の自由端付近に固定され前記表紙と背表紙とに跨って延びる抑え片から成っていることを特徴とする表題等表示構造付きファイルホルダー。
【請求項４】
請求項２に記載の表題等表示構造付きファイルホルダーであって、前記抑え部材は、前記表紙の裏面の少なくとも上下端付近に固定された抑え片又は抑えシートから成っていることを特徴とする表題等表示構造付きファイルホルダー。
【手続補正２】
【補正対象書類名】明細書
【補正対象項目名】全文
【補正方法】変更
【補正の内容】
【発明の詳細な説明】
【技術分野】
【０００１】
本発明は、紙ファイルを綴じ込むファイルホルダーに関し、特に、ファイルホルダーの表紙及び背表紙に、「ファイルの分類名称又はその記号」、「表題(ファイル名)」、「ファイルの作成者名」や「ファイルの作成年月日」の如き表示（以下表題等と称する）を視認することができるファイルホルダーに関するものである。
【背景技術】
【０００２】
一般のファイルホルダーは、表紙と裏表紙と背表紙とを含むホルダー本体とこのホルダー本体の裏表紙に設けられたペーパーファスナーの如き綴じ込み手段とから成っており、複数の紙ファイルは、ペーパーファスナーに綴じてホルダー内に収納されている。
【０００３】
この種のファイルホルダーは、通常、表裏背のいずれの面も不透明であり、使用者は、表紙又は背表紙に表題等を手書きで直接記載するか、接着剤付きのラベルに手書き又はパソコン入力文字の印刷で表題等を記載してこのラベルをファイルホルダーに貼り付けて表題等を表示していた。
【０００４】
しかし、ファイルホルダーの背表紙に手書きで表題等を書き込むことは、特に、背表紙の幅が小さい場合には、困難であり、また、いずれの位置に表題等を表示するにしても、異なる内容の紙ファイルを綴じ換えてファイルホルダーを転用する場合には、先に記載した表題等を消去しなくてはならないので、取扱が面倒である上に表題等をきれいに施すことができなかった。
【０００５】
一方、表紙に窓穴又は透明窓を有する窓付きファイルホルダーが実用化されているが、この構造のファイルホルダーは、このホルダーに綴じ込まれた紙ファイルに表示された「表題」等がその窓を通して視認することができるようにしているだけであり、第１頁目の書類（紙ファイル）に窓に相応して表題等を表示する必要があり、この表題等の表示位置によっては表題等が窓からずれることがある。また、この構造のファイルホルダーは、背表紙に表題を表示させることができないため、ファイルホルダーが棚や引き出し等に収納されると、表題等を視認することができない欠点があり、更に、表題等は、ペーパーファスナーの最も上に配置しなければならないので、紙ファイルを綴じ増しする場合には、その都度、表題等を表示した用紙をペーパーファスナーから外し、綴じ増しした紙ファイルの上に表紙等を記載した用紙を綴じ込まなければならないので、取り扱いが面倒であった。
【発明の開示】
【発明が解決しようとする課題】
【０００６】
本発明が解決しようとする１つの課題は、表題等を表示窓を通して表示するが、表題等の表示が位置づれすることなく確実に表示窓を通して視認することができる表題等表示構造付きファイルホルダーを提供することにある。
【０００７】
また、本発明が解決しようとする他の課題は、表紙のみでなく背表紙にも同時に表示して表題等を確実に視認することができる表題等表示構造付きファイルホルダーを提供することにある。
【０００８】
本発明が解決しようとする更に他の課題は、紙ファイルを追加的に綴じる際に、表題等を記載した用紙を綴じ外すことなく、紙ファイルを綴じ増しすることができる表題等表示構造付きファイルホルダーを提供することにある。
【課題を解決するための手段】
【０００９】
本発明の課題解決手段は、表紙と裏表紙と背表紙とを含むホルダー本体と前記ホルダー本体に紙ファイルを綴じ込むことができるファイル綴じ込み手段とを備えたファイルホルダーにおいて、表紙と背表紙との両方にそれぞれ別々に独立して設けられ外部から表題等を視認することができる表紙と背表紙との別個の表示窓と、これらの別個の表示窓のすべてに相応して表題等を記載することができる記載位置表示付きの１枚の表題等記載用紙と、この表題等記載用紙を前記表題等が表示窓に相応するようにホルダー本体の内面に抑え付けて保持する表題等記載用紙抑え手段とを更に備え、この表題等記載用紙は、表紙に相応する用紙部分と背表紙に相応する用紙部分と裏表紙のファイル綴じ込み手段を有する部分に相応する用紙部分とを有して裏表紙のファイル綴じ込み手段を有する部分に相応する用紙部分にファイル綴じ込み手段で綴じ込まれる綴じ孔を含み、表題等記載用紙抑え手段は、ファイル綴じ込み手段と協働して表題等記載用紙を表紙と背表紙との内面に抑え付けるものであることを特徴とする表題等表示構造付きファイルホルダーを提供することにある。
【００１０】
本発明の課題解決手段において、表題等記載用紙抑え手段は、ホルダー本体の内面に設けられた抑え部材を含み、この抑え部材は、表紙と背表紙とに跨って表題等記載用紙を抑え付けるように配置されている形態とすることができる。
【００１１】
この場合、抑え部材は、表紙の裏面の自由端付近に固定され表紙と背表紙とに跨って延びる抑え片から成っていてもよいし、表紙の裏面の少なくとも上下端付近に固定された抑え片又は抑えシートとから成っていてもよい。
【発明の効果】
【００１２】
本発明によれば、表題等を記載する位置を表示した専用の表題等記載用紙をファイルホルダー内に位置決めして保持するので、ファイルホルダーの表紙と背表紙とにそれぞれ別々に独立して設けられた表示窓に合わせて正確に表題等を表示することができ、また、表紙と背表紙とに表題等を同時に表示することができるので、取り扱いが容易である。
【００１３】
特に、表題等記載用紙抑え手段がファイル綴じ込み手段と協働して表題等記載用紙を表紙及び背表紙に抑え付ける抑え部材から成っているので、表題等記載用紙がファイルホルダーの表示窓から浮くことがなく、表題等の視認を一層容易に行うことができる。
【００１４】
また、表題等記載用紙は、表紙と背表紙との内面に沿って配置してファイル綴じ込み手段で綴じ込むので、表紙と背表紙にそれぞれ別個に独立して設けられた表示窓に対して表題等を適正に位置決めすることができるが、この場合、表題等記載用紙のファイル綴じ込み手段に相応する用紙部分は、裏表紙に接触するようにファイル綴じ込み手段の最下位に位置するので、紙ファイルを追加的に綴じ込む際に、表題等記載用紙を綴じ外す必要がないので、取り扱いが容易である。
【発明を実施するための最良の形態】
【００１５】
次に、本発明の好ましい幾つかの実施の形態を図面を参照して詳細に説明すると、図１は、本発明の１つの実施の形態による表題等表示構造付きファイルホルダー１０を示し、このファイルホルダー１０は、通常のように、表紙２１と裏表紙２２と背表紙２３とを含むホルダー本体２０と、このホルダー本体２０に紙ファイルＰＦを綴じ込むことができるファイル綴じ込み手段３０とを備えている。
【００１６】
表紙２１と裏表紙２２と背表紙２３とは、一体に連設して形成され、また、ファイル綴じ込み手段３０は、収納すべき多数の紙ファイルＰＦを綴じ込むことができる適宜の形態とすることができる。図１の形態では、ファイル綴じ込み手段３０は、裏表紙２２に取り付けられた１対の可撓性綴じ条に紙ファイルＰＦの綴じ孔を貫通して紙ファイルＰＦを裏表紙２２上に保持し、これらの１対の綴じ条が貫通する１対の孔を有する抑え帯を紙ファイルの上に抑え付け、１対の可撓性綴じ条を折り曲げつつ抑え帯に固定するようにした通常のペーパーファスナー３２から成っているのが示されている。
【００１７】
本発明の表題等表示構造付きファイルホルダー１０は、図１に示すように、ホルダー本体２０の表紙２１と背表紙２３との両方にそれぞれ別個に独立して設けられ外部から表題等Ｔを視認することができる複数の別個の表示窓４１、４３と、これらの表示窓４１、４３のすべてに相応して表題等Ｔを記載することができる記載位置表示５２(図示の例では枠５２Ｆ)付きの１枚の表題等記載用紙５０と、この表題等記載用紙５０を枠５２Ｆが表示窓４１、４３に相応するように表紙２１と背表紙２３との内面に抑え付けて保持する表題等記載用紙抑え手段６０とから成っている。
【００１８】
図１及び図２の形態では、表紙２１は、４つの表示窓４１を有し、背表紙２３は、３つの表示窓４３を有し、それに相応して、１枚の表題等記載用紙５０は、図５に示すように、表紙２１に相応する用紙部分５１に４つの枠５２Ｆ１を有し、背表紙２３に相応する用紙部分５３に３つの枠５２Ｆ３を有する。表題等Ｔは、表紙２１に相応する４つの枠５２Ｆ１内に記載されたファイル種類（例えば、「特許関係書類」）、ファイル名の如き表題（例えば「ファイルホルダー」）、作成年月日（例えば、「作成日２００７年１２月」）、作成者名（例えば「横山純明」）等とし（図６参照）、また背表紙２３に相応する枠５２Ｆ３に記載されたファイル種類（例えば、「特許関係書類」）、ファイル名の如き表題（例えば「ファイルホルダー」）、作成年月日（例えば、「作成日２００７年１２月」）等とすることができる。
【００１９】
表題等記載用紙抑え手段６０は、ホルダー本体２０の表紙２１の内面に取り付けられた抑え部材６１を含み、この抑え部材６１は、表紙２１と背表紙２３とに跨って表題等記載用紙５０を抑え付けるように配置されており、表題等記載用紙５０は、ファイル綴じ込み手段３０に相応する用紙部分に、ファイル綴じ込み手段３０で紙ファイルＰＦと共に綴じ込まれるように１対の綴じ孔５４Ｈを有する。
【００２０】
図１乃至図３の形態では、抑え部材６１は、表紙２１の裏面の自由端２１Ｅ付近に固定され表紙２１と背表紙２３と綴じ込み手段３０とに跨って延びる１つ又は複数(図示の例では２つ)の薄いプラスティックシート製の抑え片６１Ｐから成っている。図示の例では、これらの抑え片６１Ｐの固定端は、図３に詳細に示すように、表紙２１に幅方向に相対して設けられた２つの切り割り２１Ｓ１、２１Ｓ２を順次潜り抜けて固定されており、この固定端の端縁は、切り割り２１Ｓ２から抜け出さないように若干幅広の頭部６１ＰＨを有する。抑え片６１Ｐの自由端は、綴じ込み手段３０のペーパーファスナー３２の１対の差し込み条が貫通する１対の綴じ込み孔６１ＰＳを有する（図２（Ｂ）参照）。
【００２１】
次に、本発明のファイルホルダー１０の使用状態を図１乃至図４を参照して述べると、まず、図５及び図６に示すように、表題等記載用紙５０の記載表示位置５２（枠５２Ｆ）に所定の表題等Ｔを記載する。この表題等記載用紙５０の様式は、パソコン等にダウンロードすることができる電子データソースファイル（オブジェクトファイル）の形態のテンプレートとして提供すると、表題等Ｔの書き込みは、パソコンを使用して容易に行うことができる。
【００２２】
その後、この表題等記載用紙５０をその表面がホルダー本体２０の表紙２１の裏面に接触するようにしてその綴じ孔５２Ｈに綴じ込み手段３０に綴じ込む。このように、表題等記載用紙５０を綴じ込み手段３０に綴じ込むと、記載表示位置５２に書き込まれた表題等Ｔが表紙２１の表示窓４１及び背表紙２３の表示窓４３に表題等Ｔが現れるように正確に位置決めされる。
【００２３】
最後に、表題等記載用紙抑え手段６０の抑え片６１Ｐを表題等記載用紙５０の裏側に当てがい、その自由端の綴じ孔６１ＰSにファイル綴じ込み手段３０であるペーパーファスナー３２の１対の綴じ込み条を差し込んで抑え片６１Ｐを付ホルダー本体２０の裏面に固定する。このようにすると、表題等記載用紙５０は、ファイル綴じ込み手段３０による綴じ込みと協働してこの抑え片６１Ｐによってホルダー本体２０の表紙２１及び背表紙２３の内面に押し付けられて浮き上がるのが防止される。
【００２４】
このファイルホルダー１０に収納されるべき紙ファイル(書類)ＰＦは、表題等記載用紙５０を綴じ外すことなく、その上に、順次綴じ込むことができる。
【００２５】
このようにして、紙ファイルＰＦが綴じ込まれたファイルホルダー１０は、その表紙からファイルの表題等Ｔを視認することができ、また書棚等に背表紙２３が正面となるようにファイルホルダー１０をキャビネットに格納すると、背表紙２３からファイルの表題等Ｔを視認することができる。
【００２６】
本発明に使用される表題等記載用紙抑え手段６０の他の形態が図７に示され、この形態では、抑え部材６１である１つ（又は複数）の抑え片６１Ｐが表紙２１の裏面の垂直方向に延びるように配置され、その両端は、図３に示すのと同様の手段で表紙２１に横方向に設けられた上下各２つの切り割りによって固定される。表題等記載用紙５０は、ファイル綴じ込み手段３０とこの抑え片６１Ｐとによって表紙２１及び背表紙２３の内面に抑え付けられる。
【００２７】
本発明に使用される表題等記載用紙抑え手段６０の更に他の形態が図８に示され、この形態では、抑え部材６１は、表紙２１の面積にほぼ相応する面積を有する薄い透明プラスティックシート製の保持袋６１Ｂから成っており、この保持袋６１Ｂは、表紙２１の上下縁及び自由縁との間に形成された差し込み溝形成部６２に差し込んで表紙２１に保持されている。図示していないが、表題等記載用紙５０は、この保持袋６１Ｂから延びて露出する部分を綴じ込み手段３０に綴じ込まれる。
【００２８】
図示の実施の形態では、ファイル綴じ込み手段３０は、１対の綴じ条(又は帯)とその抑え帯とから成る一般に使用されている通常のペーパーファスナー３２であったが、多数の割りリングを有する多穴式ペーパーファスナーであってもよいし、また、ホルダー本体に固定された下支え部材の一端から延びる１つの綴じ条とこの綴じ条の自由端を下支え部材の他端から延びラチェット（掛け止め）式に差し込んで掛け止める掛け止め具とから成るペーパーファスナー（本発明者が別途提案するペーパーファスナー）であってもよく、表紙２の内面にあって裏表紙側に延びる部分を挟み込むことができるものであれば、挟み込み式の所謂プレスファイル、その他任意の形態とすることができる。
【００２９】
また、図示の形態では、表示窓４１、４３は、予め、開けられている孔であったが、ミシン目または半抜き状態として、必要に応じて開けられる窓とすることもできる。
【００３０】
更に、図示の形態では、抑え片６１Ｐは、切り割り２１Ｓ１、２１Ｓ２等を潜らせて固定するようにしているが、接着その他任意の手段で表紙２１に固定することができる。
【００３１】
なお、表題等記載用紙５０の綴じ孔５４Ｈは、電子データファイルの形態のテンプレートを用いて入力し印刷された用紙に通常の穿孔器を用いて穿孔することによって形成することができるが、予め枠５２や綴じ孔５４Ｈが形成されている専用の用紙としてもよいことはもちろんである。
【００３２】
上記の実施の形態から解るように、本発明によるファイルホルダー１０は、表題等Ｔを記載する位置を表示した専用の表題等記載用紙５０をファイルホルダー１０に綴じ込んで保持するので、ファイルホルダー１０の表示窓４１、４３に正確に位置決めして表題等Ｔを表示することができ、また、表紙２１と背表紙２３とに表題等Ｔを同時に表示することができるので、取り扱いが容易である。
【００３３】
表題等記載用紙抑え手段６０は、表題等記載用紙位置決め機能を兼ねるファイル綴じ込み手段３０と協働して表題等記載用紙５０を表紙２１や背表紙２３に抑え付けるので、表題等記載用紙５０がファイルホルダー１０の表示窓４１、４３から浮くことがなく、表題等Ｔを表示窓４１、４３から確実に視認することができる。
【００３４】
また、表題等記載用紙５０は、紙ファイルＰＦの上に重合するのではなく、紙ファイルＰＦの下側に綴じ込むので、紙ファイルＰＦの綴じ増しがあっても、表題等記載用紙５０をその都度綴じ外す必要がなく、取り扱いが容易である。
【００３５】
本発明に用いられる表題等記載用紙抑え手段６０の変形例が図９に示されている。
【００３６】
図９の表題等記載用紙抑え手段６０は、表紙２１及び背表紙２３の任意の位置、図示の例では、上下の位置の内側に凹み、且つ開口が上下に相対するように形成された２つの切起し抑え片６４Ｕ、６４Ｄから成り、表題等記載用紙５０は、ペーパーホルダー３２で位置決めされながらこれらの切起し抑え片６４Ｕ、６４Ｄの上側に差し込まれてこれらの切起し抑え片６４Ｕ、６４Ｄによって表示窓４１から浮き上がらないよう抑え付けている。これらの切起し抑え片６４Ｕ、６４Ｄが上下に相対して形成されているため、表題等記載用紙５０は、上下方向に整列するように位置決めされるので好ましいが、この切起し抑え片は、背表紙側に向けて開口するように横向きに形成してもよく、またこの場合、切起し抑え片の数は、幅広として１つにしてもよい。なお、図９において、符号６４Ｈは、切起し抑え片６４Ｕ、６４Ｄを抜き出して形成された孔である。また、図面では、切起し抑え片６４Ｕ、６４Ｄは、背表紙２３にのみに設けられているのが示されているが、表紙２１にも同様に設けられる。
【産業上の利用可能性】
【００３７】
本発明によれば、表題等をファイルホルダーの表示窓に合わせて正確に表題等を表示することができ、表紙と背表紙とに表題等を同時に表示することができ、また、表題等記載用紙は、表紙や背表紙に抑え付けられるので、表題等記載用紙がファイルホルダーの表示窓から浮くことがなく、表題等の視認を確実に行うことができ、高い産業上の利用性を有する。
【図面の簡単な説明】
【００３８】
【図１】本発明の１つの実施の形態によるファイルホルダーの使用状態の内面を展開して示す正面図である。
【図２】図１のファイルホルダーに表題等記載用紙及び紙ファイルを綴じ込む前の状態を示し、同図（Ａ）は、その内面を展開して示す正面図、同図（Ｂ）は、同図（Ａ）のＢ−Ｂ線拡大断面図である。
【図３】図２（Ｂ）の左端部分を一層拡大して示し、同図（Ａ）は、その正面図、同図（Ｂ）は、同図（Ａ）のＢ−Ｂ線断面図である。
【図４】ホルダー本体に対する表題等記載用紙と紙ファイル(書類)の位置関係を示し、同図（Ａ）は、表題等記載用紙のホルダー本体に対する位置関係を示す正面図、同図（Ｂ）は、紙ファイルのホルダー本体に対する位置関係を示す正面図である。
【図５】図１乃至図４のファイルホルダーに用いられる表題等記載用紙の拡大正面図である。
【図６】図１のファイルホルダーの非展開状態の正面図である。
【図７】異なる形態の表題等記載用紙抑え手段を有するファイルホルダーの非使用状態の内面を展開して示す正面図である。
【図８】更に異なる形態の表題等記載用紙抑え手段を有するファイルホルダーの非使用状態の内面を展開して示す正面図である。
【図９】切起し抑え片から成る１つの形態の表題等記載用紙抑え手段を有するファイルホルダーを示し、同図（Ａ）は、その一部の裏面展開図、同図（Ｂ）は、その要部の拡大図、同図（Ｃ）その要部の正面から見た拡大図、同図（Ｄ）は、同図（Ｃ）のＤ−Ｄ線断面図である。
【符号の説明】
【００３９】
１０        ファイルホルダー
２０        ホルダー本体
２１        表紙
２１Ｅ      自由端
２１Ｓ１、２１Ｓ２  切り割り
２２        裏表紙
２３        背表紙
３０        ファイル綴じ込み手段
３２        ペーパーファスナー
４１、４３  表示窓
５０        表題等記載用紙
５１        表紙に相応する用紙部分
５２        記載位置表示
５２Ｆ、５２Ｆ１、５２Ｆ３  枠
５３        背表紙に相応する用紙部分
５４Ｈ      １対の綴じ孔
６０        表題等記載用紙抑え手段
６１        抑え部材
６１Ｐ      抑え片
６１ＰＨ    頭部
６１ＰＳ    １対の綴じ込み孔
６１Ｂ      保持袋
６２        差し込み溝部
６４Ｕ、６４Ｄ  切起し抑え片
６４Ｈ      切起し抑え片６４Ｕ、６４Ｄを抜き出して形成された孔
ＰＦ      紙ファイル
Ｔ      表題等
【手続補正３】
【補正対象書類名】図面
【補正対象項目名】図９
【補正方法】変更
【補正の内容】
【図９】
2009208357.tif 000015
【手続補正４】
【補正対象書類名】図面
【補正対象項目名】図１０
【補正方法】削除
【補正の内容】
【手続補正５】
【補正対象書類名】図面
【補正対象項目名】図１１
【補正方法】削除
【補正の内容】
【手続補正６】
【補正対象書類名】図面
【補正対象項目名】図１２
【補正方法】削除
【補正の内容】
【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
表紙と裏表紙と背表紙とを含むホルダー本体と前記ホルダー本体に紙ファイルを綴じ込むことができるファイル綴じ込み手段とを備えたファイルホルダーにおいて、前記表紙と背表紙との両方にそれぞれ別々に独立して設けられ外部から表題等を視認することができる表紙と背表紙との別個の表示窓と、前記別個の表示窓のすべてに相応して前記表題等を記載することができる記載位置表示付きの１枚の表題等記載用紙と、前記表題等記載用紙を前記表題等が前記表示窓に相応するように前記ホルダー本体の内面に抑え付けて保持する表題等記載用紙抑え手段とを更に備え、前記表題等記載用紙は、前記表紙に相応する用紙部分と背表紙に相応する用紙部分と裏表紙のファイル綴じ込み手段を有する部分に相応する用紙部分とを有して前記裏表紙のファイル綴じ込み手段を有する部分に相応する用紙部分に前記ファイル綴じ込み手段で綴じ込まれる綴じ孔を含み、前記表題等記載用紙抑え手段は、前記表題等記載用紙を前記表紙と背表紙との内面に抑え付ける抑え部材から成り、前記表題等記載用紙は、前記ファイル綴じ込み手段によって前記ホルダーに綴じ込まれると共に前記表題等記載用紙抑え手段によって前記ホルダーの内面に抑え付けられていることを特徴とする表題等表示構造付きファイルホルダー。
【請求項２】
請求項１に記載の表題等表示構造付きファイルホルダーであって、前記抑え部材は、前記表紙と背表紙とに跨って前記表題等記載用紙を抑え付けるように配置されていることを特徴とする表題等表示構造付きファイルホルダー。
【請求項３】
請求項２に記載の表題等表示構造付きファイルホルダーであって、前記抑え部材は、前記表紙の裏面の自由端付近に固定され前記表紙と背表紙とに跨って延びる抑え片から成っていることを特徴とする表題等表示構造付きファイルホルダー。
【請求項４】
請求項２に記載の表題等表示構造付きファイルホルダーであって、前記抑え部材は、前記表紙の裏面の少なくとも上下端付近に固定された抑え片又は抑えシートから成っていることを特徴とする表題等表示構造付きファイルホルダー。
【手続補正２】
【補正対象書類名】明細書
【補正対象項目名】全文
【補正方法】変更
【補正の内容】
【発明の詳細な説明】
【技術分野】
【０００１】
本発明は、紙ファイルを綴じ込むファイルホルダーに関し、特に、ファイルホルダーの表紙及び背表紙に、「ファイルの分類名称又はその記号」、「表題(ファイル名)」、「ファイルの作成者名」や「ファイルの作成年月日」の如き表示（以下表題等と称する）を視認することができるファイルホルダーに関するものである。
【背景技術】
【０００２】
一般のファイルホルダーは、表紙と裏表紙と背表紙とを含むホルダー本体とこのホルダー本体の裏表紙に設けられたペーパーファスナーの如き綴じ込み手段とから成っており、複数の紙ファイルは、ペーパーファスナーに綴じてホルダー内に収納されている。
【０００３】
この種のファイルホルダーは、通常、表裏背のいずれの面も不透明であり、使用者は、表紙又は背表紙に表題等を手書きで直接記載するか、接着剤付きのラベルに手書き又はパソコン入力文字の印刷で表題等を記載してこのラベルをファイルホルダーに貼り付けて表題等を表示していた。
【０００４】
しかし、ファイルホルダーの背表紙に手書きで表題等を書き込むことは、特に、背表紙の幅が小さい場合には、困難であり、また、いずれの位置に表題等を表示するにしても、異なる内容の紙ファイルを綴じ換えてファイルホルダーを転用する場合には、先に記載した表題等を消去しなくてはならないので、取扱が面倒である上に表題等をきれいに施すことができなかった。
【０００５】
一方、表紙に窓穴又は透明窓を有する窓付きファイルホルダーが実用化されているが、この構造のファイルホルダーは、このホルダーに綴じ込まれた紙ファイルに表示された「表題」等がその窓を通して視認することができるようにしているだけであり、第１頁目の書類（紙ファイル）に窓に相応して表題等を表示する必要があり、この表題等の表示位置によっては表題等が窓からずれることがある。また、この構造のファイルホルダーは、背表紙に表題を表示させることができないため、ファイルホルダーが棚や引き出し等に収納されると、表題等を視認することができない欠点があり、更に、表題等は、ペーパーファスナーの最も上に配置しなければならないので、紙ファイルを綴じ増しする場合には、その都度、表題等を表示した用紙をペーパーファスナーから外し、綴じ増しした紙ファイルの上に表紙等を記載した用紙を綴じ込まなければならないので、取り扱いが面倒であった。
【発明の開示】
【発明が解決しようとする課題】
【０００６】
本発明が解決しようとする１つの課題は、表題等を表示窓を通して表示するが、表題等の表示が位置づれすることなく確実に表示窓を通して視認することができる表題等表示構造付きファイルホルダーを提供することにある。
【０００７】
また、本発明が解決しようとする他の課題は、表紙のみでなく背表紙にも同時に表示して表題等を確実に視認することができる表題等表示構造付きファイルホルダーを提供することにある。
【０００８】
本発明が解決しようとする更に他の課題は、紙ファイルを追加的に綴じる際に、表題等を記載した用紙を綴じ外すことなく、紙ファイルを綴じ増しすることができる表題等表示構造付きファイルホルダーを提供することにある。
【課題を解決するための手段】
【０００９】
本発明の課題解決手段は、表紙と裏表紙と背表紙とを含むホルダー本体と前記ホルダー本体に紙ファイルを綴じ込むことができるファイル綴じ込み手段とを備えたファイルホルダーにおいて、表紙と背表紙との両方にそれぞれ別々に独立して設けられ外部から表題等を視認することができる表紙と背表紙との別個の表示窓と、これらの別個の表示窓のすべてに相応して表題等を記載することができる記載位置表示付きの１枚の表題等記載用紙と、この表題等記載用紙を前記表題等が表示窓に相応するようにホルダー本体の内面に抑え付けて保持する表題等記載用紙抑え手段とを更に備え、この表題等記載用紙は、表紙に相応する用紙部分と背表紙に相応する用紙部分と裏表紙のファイル綴じ込み手段を有する部分に相応する用紙部分とを有して裏表紙のファイル綴じ込み手段を有する部分に相応する用紙部分にファイル綴じ込み手段で綴じ込まれる綴じ孔を含み、表題等記載用紙抑え手段は、表題等記載用紙を表紙と背表紙との内面に抑え付ける抑え部材から成り、表題等記載用紙は、ファイル綴じ込み手段によってホルダーに綴じ込まれると共に表題等記載用紙抑え手段によってホルダーの内面に抑え付けられていることを特徴とする表題等表示構造付きファイルホルダーを提供することにある。
【００１０】
本発明の課題解決手段において、抑え部材は、表紙と背表紙とに跨って表題等記載用紙を抑え付けるように配置されている形態とすることができる。
【００１１】
この場合、抑え部材は、表紙の裏面の自由端付近に固定され表紙と背表紙とに跨って延びる抑え片から成っていてもよいし、表紙の裏面の少なくとも上下端付近に固定された抑え片又は抑えシートとから成っていてもよい。
【発明の効果】
【００１２】
本発明によれば、表題等を記載する位置を表示した専用の表題等記載用紙をファイルホルダー内に位置決めして保持するので、ファイルホルダーの表紙と背表紙とにそれぞれ別々に独立して設けられた表示窓に合わせて正確に表題等を表示することができ、また、表紙と背表紙とに表題等を同時に表示することができるので、取り扱いが容易である。
【００１３】
特に、表題等記載用紙抑え手段が表題等記載用紙を表紙及び背表紙に抑え付ける抑え部材から成っており、表題等記載用紙は、ファイル綴じ込み手段によってホルダーに綴じ込まれると共に表題等記載用紙抑え手段によってホルダーの内面に抑え付けられているのでファイルホルダーの表示窓から浮くことがなく、表題等の視認を一層容易に行うことができる。
【００１４】
また、表題等記載用紙は、表紙と背表紙との内面に沿って配置してファイル綴じ込み手段で綴じ込むので、表紙と背表紙にそれぞれ別個に独立して設けられた表示窓に対して表題等を適正に位置決めすることができるが、この場合、表題等記載用紙のファイル綴じ込み手段に相応する用紙部分は、裏表紙に接触するようにファイル綴じ込み手段の最下位に位置するので、紙ファイルを追加的に綴じ込む際に、表題等記載用紙を綴じ外す必要がないので、取り扱いが容易である。
【発明を実施するための最良の形態】
【００１５】
次に、本発明の好ましい幾つかの実施の形態を図面を参照して詳細に説明すると、図１は、本発明の１つの実施の形態による表題等表示構造付きファイルホルダー１０を示し、このファイルホルダー１０は、通常のように、表紙２１と裏表紙２２と背表紙２３とを含むホルダー本体２０と、このホルダー本体２０に紙ファイルＰＦを綴じ込むことができるファイル綴じ込み手段３０とを備えている。
【００１６】
表紙２１と裏表紙２２と背表紙２３とは、一体に連設して形成され、また、ファイル綴じ込み手段３０は、収納すべき多数の紙ファイルＰＦを綴じ込むことができる適宜の形態とすることができる。図１の形態では、ファイル綴じ込み手段３０は、裏表紙２２に取り付けられた１対の可撓性綴じ条に紙ファイルＰＦの綴じ孔を貫通して紙ファイルＰＦを裏表紙２２上に保持し、これらの１対の綴じ条が貫通する１対の孔を有する抑え帯を紙ファイルの上に抑え付け、１対の可撓性綴じ条を折り曲げつつ抑え帯に固定するようにした通常のペーパーファスナー３２から成っているのが示されている。
【００１７】
本発明の表題等表示構造付きファイルホルダー１０は、図１に示すように、ホルダー本体２０の表紙２１と背表紙２３との両方にそれぞれ別個に独立して設けられ外部から表題等Ｔを視認することができる複数の別個の表示窓４１、４３と、これらの表示窓４１、４３のすべてに相応して表題等Ｔを記載することができる記載位置表示５２(図示の例では枠５２Ｆ)付きの１枚の表題等記載用紙５０と、この表題等記載用紙５０を枠５２Ｆが表示窓４１、４３に相応するように表紙２１と背表紙２３との内面に抑え付けて保持する表題等記載用紙抑え手段６０とから成っている。
【００１８】
図１及び図２の形態では、表紙２１は、４つの表示窓４１を有し、背表紙２３は、３つの表示窓４３を有し、それに相応して、１枚の表題等記載用紙５０は、図５に示すように、表紙２１に相応する用紙部分５１に４つの枠５２Ｆ１を有し、背表紙２３に相応する用紙部分５３に３つの枠５２Ｆ３を有する。表題等Ｔは、表紙２１に相応する４つの枠５２Ｆ１内に記載されたファイル種類（例えば、「特許関係書類」）、ファイル名の如き表題（例えば「ファイルホルダー」）、作成年月日（例えば、「作成日２００７年１２月」）、作成者名（例えば「横山純明」）等とし（図６参照）、また背表紙２３に相応する枠５２Ｆ３に記載されたファイル種類（例えば、「特許関係書類」）、ファイル名の如き表題（例えば「ファイルホルダー」）、作成年月日（例えば、「作成日２００７年１２月」）等とすることができる。
【００１９】
表題等記載用紙抑え手段６０は、ホルダー本体２０の表紙２１の内面に取り付けられた抑え部材６１を含み、この抑え部材６１は、表紙２１と背表紙２３とに跨って表題等記載用紙５０を抑え付けるように配置されており、表題等記載用紙５０は、ファイル綴じ込み手段３０に相応する用紙部分に、ファイル綴じ込み手段３０で紙ファイルＰＦと共に綴じ込まれるように１対の綴じ孔５４Ｈを有する。
【００２０】
図１乃至図３の形態では、抑え部材６１は、表紙２１の裏面の自由端２１Ｅ付近に固定され表紙２１と背表紙２３と綴じ込み手段３０とに跨って延びる１つ又は複数(図示の例では２つ)の薄いプラスティックシート製の抑え片６１Ｐから成っている。図示の例では、これらの抑え片６１Ｐの固定端は、図３に詳細に示すように、表紙２１に幅方向に相対して設けられた２つの切り割り２１Ｓ１、２１Ｓ２を順次潜り抜けて固定されており、この固定端の端縁は、切り割り２１Ｓ２から抜け出さないように若干幅広の頭部６１ＰＨを有する。抑え片６１Ｐの自由端は、綴じ込み手段３０のペーパーファスナー３２の１対の差し込み条が貫通する１対の綴じ込み孔６１ＰＳを有する（図２（Ｂ）参照）。
【００２１】
次に、本発明のファイルホルダー１０の使用状態を図１乃至図４を参照して述べると、まず、図５及び図６に示すように、表題等記載用紙５０の記載表示位置５２（枠５２Ｆ）に所定の表題等Ｔを記載する。この表題等記載用紙５０の様式は、パソコン等にダウンロードすることができる電子データソースファイル（オブジェクトファイル）の形態のテンプレートとして提供すると、表題等Ｔの書き込みは、パソコンを使用して容易に行うことができる。
【００２２】
その後、この表題等記載用紙５０をその表面がホルダー本体２０の表紙２１の裏面に接触するようにしてその綴じ孔５２Ｈに綴じ込み手段３０に綴じ込む。このように、表題等記載用紙５０を綴じ込み手段３０に綴じ込むと、記載表示位置５２に書き込まれた表題等Ｔが表紙２１の表示窓４１及び背表紙２３の表示窓４３に表題等Ｔが現れるように正確に位置決めされる。
【００２３】
最後に、表題等記載用紙抑え手段６０の抑え片６１Ｐを表題等記載用紙５０の裏側に当てがい、その自由端の綴じ孔６１ＰSにファイル綴じ込み手段３０であるペーパーファスナー３２の１対の綴じ込み条を差し込んで抑え片６１Ｐを付ホルダー本体２０の裏面に固定する。このようにすると、表題等記載用紙５０は、ファイル綴じ込み手段３０による綴じ込みとこの抑え片６１Ｐによってホルダー本体２０の表紙２１及び背表紙２３の内面への抑え付けとによってホルダー本体２０の内面から浮き上がるのが防止される。
【００２４】
このファイルホルダー１０に収納されるべき紙ファイル(書類)ＰＦは、表題等記載用紙５０を綴じ外すことなく、その上に、順次綴じ込むことができる。
【００２５】
このようにして、紙ファイルＰＦが綴じ込まれたファイルホルダー１０は、その表紙からファイルの表題等Ｔを視認することができ、また書棚等に背表紙２３が正面となるようにファイルホルダー１０をキャビネットに格納すると、背表紙２３からファイルの表題等Ｔを視認することができる。
【００２６】
本発明に使用される表題等記載用紙抑え手段６０の他の形態が図７に示され、この形態では、抑え部材６１である１つ（又は複数）の抑え片６１Ｐが表紙２１の裏面の垂直方向に延びるように配置され、その両端は、図３に示すのと同様の手段で表紙２１に横方向に設けられた上下各２つの切り割りによって固定される。表題等記載用紙５０は、ファイル綴じ込み手段３０とこの抑え片６１Ｐとによって表紙２１及び背表紙２３の内面に抑え付けられる。
【００２７】
本発明に使用される表題等記載用紙抑え手段６０の更に他の形態が図８に示され、この形態では、抑え部材６１は、表紙２１の面積にほぼ相応する面積を有する薄い透明プラスティックシート製の保持袋６１Ｂから成っており、この保持袋６１Ｂは、表紙２１の上下縁及び自由縁との間に形成された差し込み溝形成部６２に差し込んで表紙２１に保持されている。図示していないが、表題等記載用紙５０は、この保持袋６１Ｂから延びて露出する部分を綴じ込み手段３０に綴じ込まれる。
【００２８】
図示の実施の形態では、ファイル綴じ込み手段３０は、１対の綴じ条(又は帯)とその抑え帯とから成る一般に使用されている通常のペーパーファスナー３２であったが、多数の割りリングを有する多穴式ペーパーファスナーであってもよいし、また、ホルダー本体に固定された下支え部材の一端から延びる１つの綴じ条とこの綴じ条の自由端を下支え部材の他端から延びラチェット（掛け止め）式に差し込んで掛け止める掛け止め具とから成るペーパーファスナー（本発明者が別途提案するペーパーファスナー）であってもよく、表紙２の内面にあって裏表紙側に延びる部分を挟み込むことができるものであれば、挟み込み式の所謂プレスファイル、その他任意の形態とすることができる。
【００２９】
また、図示の形態では、表示窓４１、４３は、予め、開けられている孔であったが、ミシン目または半抜き状態として、必要に応じて開けられる窓とすることもできる。
【００３０】
更に、図示の形態では、抑え片６１Ｐは、切り割り２１Ｓ１、２１Ｓ２等を潜らせて固定するようにしているが、接着その他任意の手段で表紙２１に固定することができる。
【００３１】
なお、表題等記載用紙５０の綴じ孔５４Ｈは、電子データファイルの形態のテンプレートを用いて入力し印刷された用紙に通常の穿孔器を用いて穿孔することによって形成することができるが、予め枠５２や綴じ孔５４Ｈが形成されている専用の用紙としてもよいことはもちろんである。
【００３２】
上記の実施の形態から解るように、本発明によるファイルホルダー１０は、表題等Ｔを記載する位置を表示した専用の表題等記載用紙５０をファイルホルダー１０に綴じ込んで保持するので、ファイルホルダー１０の表示窓４１、４３に正確に位置決めして表題等Ｔを表示することができ、また、表紙２１と背表紙２３とに表題等Ｔを同時に表示することができるので、取り扱いが容易である。
【００３３】
表題等記載用紙抑え手段６０は、表題等記載用紙位置決め機能を兼ねるファイル綴じ込み手段３０による表題等記載用紙の綴じ込みと共に、表題等記載用紙５０を表紙２１や背表紙２３に抑え付けるので、表題等記載用紙５０がファイルホルダー１０の表示窓４１、４３から浮くことがなく、表題等Ｔを表示窓４１、４３から確実に視認することができる。
【００３４】
また、表題等記載用紙５０は、紙ファイルＰＦの上に重合するのではなく、紙ファイルＰＦの下側に綴じ込むので、紙ファイルＰＦの綴じ増しがあっても、表題等記載用紙５０をその都度綴じ外す必要がなく、取り扱いが容易である。
【００３５】
本発明に用いられる表題等記載用紙抑え手段６０の変形例が図９に示されている。
【００３６】
図９の表題等記載用紙抑え手段６０では、抑え部材６１は、表紙２１及び背表紙２３の任意の位置、図示の例では、上下の位置の内側に凹み、且つ開口が上下に相対するように形成された２つの切起し抑え片６４Ｕ、６４Ｄから成り、表題等記載用紙５０は、ペーパーホルダー３２で位置決めされながらこれらの切起し抑え片６４Ｕ、６４Ｄの上側に差し込まれてこれらの切起し抑え片６４Ｕ、６４Ｄによって表示窓４１から浮き上がらないよう抑え付けている。これらの切起し抑え片６４Ｕ、６４Ｄが上下に相対して形成されているため、表題等記載用紙５０は、上下方向に整列するように位置決めされるので好ましいが、この切起し抑え片は、背表紙側に向けて開口するように横向きに形成してもよく、またこの場合、切起し抑え片の数は、幅広として１つにしてもよい。なお、図９において、符号６４Ｈは、切起し抑え片６４Ｕ、６４Ｄを抜き出して形成された孔である。また、図面では、切起し抑え片６４Ｕ、６４Ｄは、背表紙２３にのみに設けられているのが示されているが、表紙２１にも同様に設けられる。
【産業上の利用可能性】
【００３７】
本発明によれば、表題等をファイルホルダーの表示窓に合わせて正確に表題等を表示することができ、表紙と背表紙とに表題等を同時に表示することができ、また、表題等記載用紙は、表紙や背表紙に抑え付けられるので、表題等記載用紙がファイルホルダーの表示窓から浮くことがなく、表題等の視認を確実に行うことができ、高い産業上の利用性を有する。
【図面の簡単な説明】
【００３８】
【図１】本発明の１つの実施の形態によるファイルホルダーの使用状態の内面を展開して示す正面図である。
【図２】図１のファイルホルダーに表題等記載用紙及び紙ファイルを綴じ込む前の状態を示し、同図（Ａ）は、その内面を展開して示す正面図、同図（Ｂ）は、同図（Ａ）のＢ−Ｂ線拡大断面図である。
【図３】図２（Ｂ）の左端部分を一層拡大して示し、同図（Ａ）は、その正面図、同図（Ｂ）は、同図（Ａ）のＢ−Ｂ線断面図である。
【図４】ホルダー本体に対する表題等記載用紙と紙ファイル(書類)の位置関係を示し、同図（Ａ）は、表題等記載用紙のホルダー本体に対する位置関係を示す正面図、同図（Ｂ）は、紙ファイルのホルダー本体に対する位置関係を示す正面図である。
【図５】図１乃至図４のファイルホルダーに用いられる表題等記載用紙の拡大正面図である。
【図６】図１のファイルホルダーの非展開状態の正面図である。
【図７】異なる形態の表題等記載用紙抑え手段を有するファイルホルダーの非使用状態の内面を展開して示す正面図である。
【図８】更に異なる形態の表題等記載用紙抑え手段を有するファイルホルダーの非使用状態の内面を展開して示す正面図である。
【図９】切起し抑え片から成る１つの形態の表題等記載用紙抑え手段を有するファイルホルダーを示し、同図（Ａ）は、その一部の裏面展開図、同図（Ｂ）は、その要部の拡大図、同図（Ｃ）その要部の正面から見た拡大図、同図（Ｄ）は、同図（Ｃ）のＤ−Ｄ線断面図である。
【符号の説明】
【００３９】
１０ ファイルホルダー
２０  ホルダー本体
２１  表紙
２１Ｅ  自由端
２１Ｓ１、２１Ｓ２  切り割り
２２  裏表紙
２３  背表紙
３０  ファイル綴じ込み手段
３２  ペーパーファスナー
４１、４３  表示窓
５０  表題等記載用紙
５１  表紙に相応する用紙部分
５２  記載位置表示
５２Ｆ、５２Ｆ１、５２Ｆ３  枠
５３  背表紙に相応する用紙部分
５４Ｈ  １対の綴じ孔
６０  表題等記載用紙抑え手段
６１  抑え部材
６１Ｐ  抑え片
６１ＰＨ  頭部
６１ＰＳ  １対の綴じ込み孔
６１Ｂ  保持袋
６２  差し込み溝部
６４Ｕ、６４Ｄ  切起し抑え片
６４Ｈ  切起し抑え片６４Ｕ、６４Ｄを抜き出して形成された孔
ＰＦ  紙ファイル
Ｔ  表題等